(57)【特許請求の範囲】
【請求項１】
マリンボードにフィンを取り付けるためのマリンボード用フィンの取付部材において、
水平方向に一列に並べた複数の円柱を、互いに接合させたような団子型であり、
前記フィンの一部が、位置変更可能な隙間を持って挿入される挿入口と、
前記フィンの一部を固定する固定手段とを有することを特徴とするマリンボード用フィンの取付部材。
【請求項２】
前記挿入口には、前記フィンの一部を係止する係止部が設けられていることを特徴とする請求項１記載のマリンボード用フィンの取付部材。
【請求項３】
前記挿入口には、前記フィンの一部が係合する係合部が形成されていることを特徴とする請求項１又は請求項２記載のマリンボード用フィンの取付部材。
【請求項４】
前記挿入口には、前記フィンの一部を回転可能に支持する受容部が形成されていることを特徴とする請求項１〜３のいずれか１項に記載のマリンボード用フィンの取付部材。
【請求項５】
マリンボードに、取付部材を介してフィンが取り付けられたマリンボード用フィンの取付構造において、
前記取付部材は、水平方向に一列に並べた複数の円柱を互いに接合させたような団子型であり、
前記取付部材の形状に適合するように前記マリンボードに形成され、前記取付部材が嵌め込まれた取付穴と、
前記取付部材に形成された挿入口と、
前記フィンに設けられ、前記挿入口に位置変更可能な隙間を持って挿入される突出部と、
前記突出部を前記挿入口に固定する固定手段とを有することを特徴とするマリンボード用フィンの取付構造。
【発明の詳細な説明】
【０００１】
【発明の属する技術分野】
本発明は、サーフボードやウインドサーフィンボードなどのマリンボードへのフィンの取付技術に関するもので、特に、ボードに対するフィンの取付位置を適宜変更することができるようにしたものである。
【０００２】
【従来の技術】
一般に、サーフボードやウインドサーフィンボードなどのマリンボードのボトム部分には、その直進安定性や回転操作性を高めるために１本、３本、５本あるいはそれ以上の数のフィンが設けられている。このフィンはボードに対し繊維強化樹脂で接着されている場合もあるが、ボードの収納時や持ち運びに際して邪魔にならないように、ボードに固定された小さな円柱形状のフィンボックスに、フィンを着脱自在に装着するタイプもある。
【０００３】
ところで、同一タイプのマリンボードであっても、ユーザーの脚力や体重あるいは技能に応じてその性能は大きく異なってくる。また、ユーザーが参加するゲームやレースの種類、さらにはユーザー自身の好みによっても直進性を重視する場合や、回転性を優先する場合など様々なケースがある。しかも、実際にボードを使用するにあたっては、天候その他により使用水面のコンディションは激しく変化する。したがって、ボードに要求される性能を迅速且つ簡便に調整することが望まれている。
【０００４】
ボードの性能調整に関しては、フィンの取付数や取付位置を変更することが有効である。例えば、３本フィン（トライフィン）を有するシングル・スタビライザ・フィンタイプのボードは小回りがきき強い波に適しているが、波が弱い状況下や大きくターンしたい場合にはシングルフィンのボードの方が好適である。そこで、シングル・スタビライザ・フィンタイプのボードにおいて両サイドのフィンが着脱自在であれば、これらを外してセンターフィンだけを残しシングルフィンのボードとすることが可能である。
【０００５】
このようにフィンを着脱自在としたボードは、単に収納時にコンパクトになるだけではなく、１つのボードで波のサイズや使用水面のコンディションに柔軟に対応することができる。また、フィンをボードに取付ける際にフィンの取付位置をボードの前後方向に僅かに動かして調整することもできるため、フィンの位置をボードの前寄りにして回転性を高めたり、反対に後ろ寄りにして直進性が高めたりすることができる。さらに、フィンの種類自体を変えてもボードの性能を調整可能である。
【０００６】
【発明が解決しようとする課題】
しかしながら、以上のような従来技術には次のような問題点があった。すなわち、ボードの性能調整に際して、フィンの取付位置を変更する場合、位置調整の範囲はフィンを取付けるフィンボックスのサイズに制約される。このため、従来の小さな円柱形のフィンボックスでは、ボード性能に変化をつけるには限界があった。また、フィンボックスの規格によっては、所望のフィンを取付けることができない場合があり、フィンの選択に制約があった。さらに、新しいボードを購入しても、そこに取り付けられたフィンボックスによっては、以前から所有しているフィンが使えなくなる場合があり、新たなフィンをセットで購入しなければならず、ユーザーに対する経済的な負担は大きくなっていた。
【０００７】
本発明は、以上の問題点を解消するために提案されたものであり、その目的は、ボードに対するフィンの取付位置を変更することによりボードの性能を簡単に調整できるとともに、多種類のフィンを取り付けることができるマリンボード用フィンの取付部材、これに取り付けるマリンボード用フィン、これらを組み合わせたマリンボード用フィンの取付構造を提供することにある。
【０００８】
【課題を解決するための手段】
上記の目的を達成するために、請求項１記載の発明は、マリンボードにフィンを取り付けるためのマリンボード用フィンの取付部材において、水平方向に一列に並べた複数の円柱を、互いに接合させたような団子型であり、前記フィンの一部が、位置変更可能な隙間を持って挿入される挿入口と、前記フィンの一部を固定する固定手段とを有することを特徴とする。
請求項５記載の発明は、マリンボードに、取付部材を介してフィンが取り付けられたマリンボード用フィンの取付構造において、前記取付部材は、水平方向に一列に並べた複数の円柱を互いに接合させたような団子型であり、前記取付部材の形状に適合するように前記マリンボードに形成され、前記取付部材が嵌め込まれた取付穴と、前記取付部材に形成された挿入口と、前記フィンに設けられ、前記挿入口に位置変更可能な隙間を持って挿入される突出部と、前記突出部を前記挿入口に固定する固定手段とを有することを特徴とする。
以上のような請求項１及び請求項５記載の発明では、ユーザは、フィンの一部を挿入口の所望の位置に挿入した後、若しくは挿入口に挿入して、隙間を利用してフィンの位置を所望の位置に変更した後、固定手段によって固定する。このようにフィンの取付位置を所望の位置とすることによって、ボードの性能を簡単に調整できる。また、挿入口に挿入されるフィンの一部の規格が異なっていても、その相違が隙間の長さによって許容されるので、多種類のフィンを取り付けることができる。
また、取付部材は団子型なので、前後、左右、上下等、あらゆる方向の力に対して、マリンボードとの接着面に高い強度を維持することができ、優れた耐久性が得られる。特に、従来の円柱形のフィンボックスと比較して、フィンの回転方向の力に対して高い強度が得られる。さらに、団子型とすることにより強度が出るので、取付部材を作る際、その深さ（高さ）を従来より短くでき、軽量化が可能となる。
また、マリンボードへの取付穴は、ドリル穴を組み合わせることによって形成できるので、直線型の穴を掘る際に必要となるルーターが不要となり、効率良く容易に製作できる。
【０００９】
請求項２記載の発明は、請求項１記載のマリンボード用フィンの取付部材において、前記挿入口には、前記フィンの一部を係止する係止部が設けられていることを特徴とする。
以上のような請求項２記載の発明では、取付部材に取り付けたフィンの一部が係止部によって係止されるので、フィンの支持固定が安定して抜け落ちや揺れが防止され、固定手段による固定がより一層強固なものとなる。
【００１０】
請求項３記載の発明は、請求項１又は請求項２記載のマリンボード用フィンの取付部材において、前記挿入口には、前記フィンの一部が係合する係合部が形成されていることを特徴とする。
また、請求項５記載の発明は、マリンボードに取付部材を介して取り付けられるマリンボード用フィンにおいて、前記取付部材に形成された挿入口に、位置変更可能な隙間を持って挿入される突出部と、前記突出部に形成され、前記挿入口の一部に係合する係合部とを有することを特徴とする。
以上のような請求項３及び請求項５記載の発明では、フィンの一部を挿入口に挿入すると、係合部が係合するので、固定手段によって固定されたフィンのずれが防止される。
【００１１】
請求項４記載の発明は、請求項１〜３のいずれか１項に記載のマリンボード用フィンの取付部材において、前記挿入口には、前記フィンの一部を回転可能に支持する受容部が形成されていることを特徴とする。
以上のような請求項４記載の発明では、フィンの取付位置のみならず、取付角度を所望のものとすることができるので、ユーザの技能や好み、水面のコンディションに、より柔軟に対応できる。
【００１２】
【発明の実施の形態】
［第１の実施の形態］
［構成］
請求項１及び請求項６記載の発明に対応する実施の形態を、図１〜図８を参照して具体的に説明する。すなわち、本実施の形態は、図１に示すように、サーフボード２の裏面に、フィンボックス（請求項に記載の取付部材）３を介してフィン１を取り付けたものである。このフィン１の下端部には、図２に示すように、方形の突出部１０が形成されている。
【００１３】
フィンボックス３は、図３に示すように、水平方向に一列に並べた複数の円柱を、互いに接合させたような団子型に形成されている。このフィンボックス３の中央には、フィン１の突出部１０が挿入される挿入口３０が、長手方向のほぼ全長に亘って形成されている。また、挿入口３０の両脇には、複数のネジ止め孔３１が形成されている。このネジ止め孔３１は、図４に示すように、挿入口３０に挿入された突出部１０を固定するために、挿入口３０に達する斜め方向に形成されている。
【００１４】
サーフボード２には、図５に示すように、フィンボックス３を固定するための取付穴２０が形成されている。この取付穴２０は、ドリルによって複数の穴を形成することによって作成する。つまり、軸の位置を少しづつずらした穴を連ねることによって、フィンボックス３の形状に適合する団子型を形成する。このように形成された取付穴２０に対して、図４及び図５に示すように、フィンボックス３が接着剤４を介して嵌め込まれ、固定されている。
【００１５】
［作用］
以上のような構成を有する本実施の形態においては、サーフボード２に対するフィン１の取り付けを、以下のように行なう。すなわち、図６に示すように、フィン１の突出部１０を、サーフボード２に固定されたフィンボックス３の挿入口３０に挿入する。挿入口３０は長いので、突出部１０の前後には隙間が生じる。この隙間を利用して、サーフボード２に対するフィン１の位置が、ユーザの所望の位置となるように調節する。なお、初めから挿入口３０の所望の位置に突出部１０を挿入してもよい。そして、フィン１の位置が決まったら、突出部１０の挿入位置の両脇にあるネジ止め孔３１に対して、六角ネジ（請求項に記載の固定手段）５を挿入して締め付けることにより、図７に示すように、突出部１０の両側面を支持固定する。
【００１６】
［効果］
以上のような本実施の形態によれば、サーフボード２に対するフィン１の取付位置を、連続した長い挿入口３０に沿って大幅に変更することができるので、サーフボード２が、ユーザの所望の性能となるように容易に調整できる。したがって、複数のサーフボード２を用意することなく、単一のサーフボード２だけで、様々な用途やユーザーの技能や好みに対応できる。また、使用水面のコンディションが変化しても、これに簡単に応じることができる。
【００１７】
また、フィンボックス３が取り付けられたサーフボード２であれば、挿入口３０の長さによって、フィン１における突出部１０の寸法や数等の規格の相違は許容されるので、フィン１の種類を問わずに交換して使用することができる。従って、ユーザの技能や好みに応じて、多種類のフィン１を使用できる。例えば、図８に示すように、従来から広く普及している突出部１０が２つあるタイプのフィン１であっても、上記と同様に取り付けることができる。
【００１８】
また、ユーザ側にとっては、新たに買い替えたサーフボード２にフィンボックス３が取り付けられていれば、そのサーフボード２のフィンボックス３に合ったフィン１を改めて買う必要がなくなり、現在使用しているフィン１を新しいサーフボード２に適用することができる。このため、ユーザーは不要なフィン１を買い足す必要がなくなり、経済的負担は軽くて済む。
【００１９】
メーカー側にとっては、取り付けるフィン１に応じて異なる規格のフィンボックスを使う必要がなく、本実施の形態のフィンボックス３が取り付けられていれば、あらゆるフィン１に対応ができるため、製作に手間がかからず、コストダウンにつながる。さらに、サーフボード２への取付穴２０は、ドリル穴を組み合わせることによって形成できるので、直線型の穴を掘る際に必要となるルーターが不要となり、効率良く容易に製作できる。
【００２０】
また、フィンボックス３は団子型なので、前後、左右、上下等、あらゆる方向の力に対して、サーフボード２との接着面に高い強度を維持することができ、優れた耐久性が得られる。特に、従来の円柱形のフィンボックスと比較して、フィン１の回転方向の力に対して高い強度が得られる。さらに、団子型とすることにより強度が出るので、フィンボックス３を作る際、その深さ（高さ）を従来より短くでき、軽量化が可能となる。
【００２１】
［第２の実施の形態］
［構成］
請求項２記載の発明に対応する実施の形態について、図９〜図１１を参照して具体的に説明する。すなわち、図９及び図１０に示すように、本実施の形態におけるフィンボックス３は、挿入口３０の前端部にコの字状の窪みである係止溝（請求項２記載の係止部）３２が形成されている。この係止溝３２に対応するフィンボックス３の上面にも、ネジ止め孔３１が形成されている。一方、フィン１には、２つの突出部１０が設けられており、前方の突出部１０には、係止溝３２に挿入される係止突起１１が形成されている。なお、係止溝３２は、図１１に示すように、挿入口３０の後端部に設けてもよく、これに合わせて、フィン１の係止突起１１を後側の突出部１０に設けることもできる。
【００２２】
［作用］
以上のような構成を有する本実施の形態においては、サーフボード２に対するフィン１の取り付けを、以下のように行なう。すなわち、フィン１の突出部１０を、サーフボード２の挿入口３０に挿入し、図１０及び図１１に示すように、係止突起１１が係止溝３２に挿入されるようにスライド移動させる。そして、上記の第１の実施の形態と同様に、六角ネジ５によって、突出部１０の両側面を固定する。また、係止溝３２に対応するネジ止め孔３１からも、六角ネジ５を挿入して締め付けることにより、係止突起１１の上端を支持固定する。
【００２３】
［効果］
以上のような本実施の形態によれば、上記の第１の実施の形態と同様の効果が得られるとともに、係止突起１１が係止溝３２に挿入されることによって、フィン１の支持固定が安定し、フィン１の抜け落ちや揺れが防止される。また、係止突起１１の上端もネジ止めされるので、フィン１の固定はより一層強固なものとなる。
【００２４】
［第３の実施の形態］
［構成］
請求項３及び請求項５記載の発明に対応する実施の形態について、図１２〜図１４を参照して具体的に説明する。すなわち、図１２に示すように、本実施の形態におけるフィンボックス３は、挿入口３０の内側面に、蛇腹状の凹凸から成る係合溝（請求項３の係合部）３３が形成されている。一方、フィン１の突出部１０の両側面には、係合溝３３に係合する係合突起（請求項５の係合部）１２が形成されている。なお、この係合突起１２は、図１３に示すように複数設けても、図１４に示すように１つのみであってもよい。また、係合突起１２を別部材として、突出部１０に後付け固定する構成であってもよい。
【００２５】
［作用］
以上のような本実施の形態においては、サーフボード２に対するフィン１の取付けを、以下のように行なう。すなわち、フィン１の突出部１０を、係合溝３３に対して係合突起１２が係合するように、係止突起１１の所望の位置に挿入する。そして、上記の第１の実施の形態と同様に、六角ネジ５によって、突出部１０の両側面を固定する。
【００２６】
［効果］
以上のような本実施の形態によれば、上記の第１の実施の形態と同様の効果が得られるとともに、係合溝３３に係合突起１２が係合しているので、フィン１の前後方向のずれが防止される。特に、図１３に示すように、係合突起１２を複数設けた場合には、その固定が強固となる。
【００２７】
［第４の実施の形態］
［構成］
請求項４記載の発明に対応する実施の形態について、図１５〜図１８を参照して具体的に説明する。すなわち、本実施の形態においては、図１５に示すように、有底円筒形状のカップ６を用いる。このカップ６には、その内側面に、溝６０が形成されている。また、カップ６の上端には、相反する水平方向に突出したストッパ部６１が設けられている。このストッパ部６１は、フィンボックス３の挿入口３０に嵌る幅を有している。そして、フィンボックス３には、上記の第３の実施の形態と同様の係合溝３３を有する挿入口３０の内側面に、カップ６が挿入される曲面である受容部３４が、複数形成されている。
【００２８】
一方、フィン１の下端には、図１７に示すように、カップ６に挿入される円柱形状の突出部１３が設けられている。この突出部１３は、その外側面に、カップ６の溝６０に係合する溝１４と、六角ネジ５の先端によって係止されるくびれ部１５を有している。
【００２９】
［作用］
以上のような構成を有する本実施の形態においては、サーフボード２に対するフィン１の取り付けを、以下のように行なう。すなわち、図１６に示すように、フィンボックス３における所望の受容部３４に対して、カップ６を、そのストッパ部６１が挿入口３０に嵌るように挿入する。そして、カップ６内に、フィン１が所望の角度となるように、その突出部１３を挿入し、ネジ止め孔３１から六角ネジ５を挿入して締め付けることにより、図１８に示すように、カップ６及び突出部１３のくびれ部１５を支持固定する。
【００３０】
なお、カップ６に六角ネジ５が挿入される穴を形成しておき、突出部１３のくびれ部１５を六角ネジ５によって直接締め付け固定する構成としてもよい。また、挿入口３０には係合溝３３も形成されているので、第３の実施の形態と同様のフィン１を固定することもできる。
【００３１】
［効果］
以上のような本実施の形態によれば、上記の第１の実施の形態と同様の効果が得られるとともに、フィン１を所望の角度とすることができるので、ユーザの技能や好み、水面のコンディションに、より柔軟に対応できる。つまり、フィン１の位置を、前後に変化させることができるとともに、３６０°回転させることができるので、ユーザにとって、従来品にはない優れた使用感が得られる。
【００３２】
また、カップ６のストッパ部６１が挿入口３０に嵌り、六角ネジ５によって固定されるとともに、突出部１３の溝１４とカップ６の溝６０とが係合しているので、固定されたフィン１の角度がずれることがなく、安定して使用できる。さらに、第３の実施の形態と同様のフィン１を固定することもできるので、使用可能なフィン１が多様となる。
【００３３】
［他の実施の形態］
本発明は、上記のような実施形態に限定されるものではなく、本発明の範囲内で適宜変更可能である。例えば、上記の実施の形態ではフィン１が一枚のものを例として説明しているが、フィン１の枚数は、これより多くてもよい。また、本発明は、サーフボードだけではなく、サーフボードやウインドサーフィンボード、あるいはボディボードなど、マリンスポーツに使用するマリンボード全てに適用することが可能である。
【００３４】
また、フィンボックス３のサーフボード２に対する取付け角度や、フィン１に対する突出部１０の角度も上記の実施の形態で示したものには限定されない。例えば、フィンボックス３をサーフボード２の長手方向に直交する方向に取付けることによって、フィン１の位置を、前後方向ではなく左右方向に変えることができるように構成してもよい。フィンボックス３に形成する挿入口３０を十字形や放射状として、前後、左右、斜め方向にフィン１の位置を変えることができる構成としてもよい。フィンボックス３の形状も、上記の団子型には限定されない。例えば、直方体形状であっても、円錐柱形状であってもよい。
【００３５】
また、構成部材の材質や配置数及び配置箇所等は適宜選択可能である。例えば、第４の実施の形態で示したカップ６を省略して、図１９に示すように、受容部３４に溝３５を形成し、フィン１の突出部１３を受容部３４に直接挿入して固定する構成とすることにより、安価に製造することもできる。受容部３４、カップ６や突出部１３の形状を多角形状とすることもできる。
【００３６】
また、ネジ止め孔３１の数や配置も自由であり、例えば、図２０に示すように、左右のネジ止め孔３１の位置をずらして配置してもよい。また、固定手段は、六角ネジ５には限定されず、他の種類のネジであってもよい。さらに、ネジ以外の固定手段によって、フィン１をフィンボックス３に固定する構成であってもよい。例えば、釘、金具等の固定具を用いてもよい。
【００３７】
また、フィン１の突出部の大きさ、形状等も自由である。例えば、前後方向の長さをフィン１と同等としてもよい。また、図２１及び図２２に示すように、フィン１に、挿入口３０に挿入可能な突出部１６を設け、その突出部１６の周囲に、挿入口３０の係合溝３３に係合する突起１７を設けることによって、フィン１の取付位置や角度を変更可能な構成としてもよい。
【００３８】
また、第２の実施の形態における係止溝３２を、第３及び第４の実施の形態の挿入口３０に設けてもよい。また、上記の実施の形態における係止溝３２及び係止突起１１、係合溝３３及び係合突起１２は、それぞれ溝と突起を逆に形成してもよい。さらに、挿入口３０の隙間をカバーする部材を設けて水流を良くしてもよい。
【００３９】
【発明の効果】
以上説明したように本発明によれば、ボードに対するフィンの取付位置を変更することによりボードの性能を簡単に調整できるとともに、多種類のフィンを取り付けることができるマリンボード用フィンの取付部材、これに取り付けるマリンボード用フィン、これらを組み合わせたマリンボード用フィンの取付構造を提供することができる。
【図面の簡単な説明】
【図１】本発明に係る第１の実施の形態の斜視図。
【図２】第１の実施の形態におけるフィンの側面図。
【図３】第１の実施の形態におけるフィンボックスの斜視図。
【図４】第１の実施の形態におけるフィンボックス及びマリンボードの縦断面図。
【図５】第１の実施の形態におけるフィンボックスのマリンボードへの取り付けを示す斜視図。
【図６】第１の実施の形態におけるフィンのフィンボックスへの取り付けを示す斜視図。
【図７】第１の実施の形態におけるフィンの取付構造を示す縦断面図。
【図８】第１の実施の形態におけるフィンの側面図。
【図９】本発明に係る第２の実施の形態のフィンボックスを示す平面図。
【図１０】第２の実施の形態におけるフィンの取付け構造を示す縦断面図。
【図１１】第２の実施の形態におけるフィンの取付け構造を示す縦断面図。
【図１２】本発明に係る第３の実施の形態のフィンボックスを示す平面図。
【図１３】第３の実施の形態のフィンを示す側面図。
【図１４】第３の実施の形態のフィンを示す側面図。
【図１５】本発明に係る第４の実施の形態のカップを示す斜視図。
【図１６】第４の実施の形態のフィンボックスを示す平面図。
【図１７】第４の実施の形態のフィンを示す側面図。
【図１８】第４の実施の形態のフィンの取付構造を示す縦断面図。
【図１９】本発明の他の実施の形態のフィンボックスを示す平面図。
【図２０】本発明の他の実施の形態のフィンボックスを示す平面図。
【図２１】本発明の他の実施の形態のフィンを示す底面図。
【図２２】本発明の他の実施の形態のフィンを示す底面図。
【符号の説明】
１…フィン
２…サーフボード
３…フィンボックス
４…接着剤
５…六角ネジ
６…カップ
１０，１３，１６…突出部
１１…係止突起
１２…係合突起
１４，３５，６０…溝
１５…くびれ部
１７…突起
２０…取付穴
３０…挿入口
３１…ネジ止め孔
３２…係止溝
３３…係合溝
３４…受容部
６１…ストッパ部
【図１】
0003633908.tif 000002
【図２】
0003633908.tif 000003
【図３】
0003633908.tif 000004
【図４】
0003633908.tif 000005
【図５】
0003633908.tif 000006
【図６】
0003633908.tif 000007
【図７】
0003633908.tif 000008
【図８】
0003633908.tif 000009
【図９】
0003633908.tif 000010
【図１０】
0003633908.tif 000011
【図１１】
0003633908.tif 000012
【図１２】
0003633908.tif 000013
【図１３】
0003633908.tif 000014
【図１４】
0003633908.tif 000015
【図１５】
0003633908.tif 000016
【図１６】
0003633908.tif 000017
【図１７】
0003633908.tif 000018
【図１８】
0003633908.tif 000019
【図１９】
0003633908.tif 000020
【図２０】
0003633908.tif 000021
【図２１】
0003633908.tif 000022
【図２２】
0003633908.tif 000023